(57)【要約】【課題】ネズミや虫類の侵入を確実に防止するとともに、排水及びゴミ等を詰まらせることなく排出させ、既設の排水管にも簡単に取り付けることができるネズミ、虫類の侵入防止具及びその方法を提供する。【解決手段】排水管の排水口に設置してネズミ、虫類の侵入を防止する侵入防止具であって、排水口の最長径以上の径を有する排水口閉鎖部と、該排水口閉鎖部を排水管内から支持する支持部とを備えることを特徴とするネズミ、虫類の侵入防止具によって達成される。【選択図】図１
2004208522.tif 000002
【特許請求の範囲】
【請求項１】
排水管の排水口に設置してネズミ、虫類の侵入を防止する侵入防止具であって、排水口の最長径以上の径を有する排水口閉鎖部と、該排水口閉鎖部を排水管内から支持する支持部とを備えることを特徴とするネズミ、虫類の侵入防止具。
【請求項２】
非排水時には上記排水口閉鎖部で排水口を閉口し、排水時には排水の流れによって排水口を開口しうる請求項１記載のネズミ、虫類の侵入防止具。
【請求項３】
排水口の最短径Ｒ、排水口閉鎖部の最短径Ｌ、排水口と支持部の接点から排水口閉鎖部の外径までの最短距離をＸとしたとき、Ｒ≦Ｌ−Ｘとなるように、排水口閉鎖部と支持部とが備えられている請求項１又は２記載のネズミ、虫類の侵入防止具。
【請求項４】
排水管の排水口からネズミ、虫類の侵入を防止する方法であって、排水管の排水口を上方に向け、該排水口に、請求項１乃至３の何れか一項に記載のネズミ、虫類の侵入防止具を設置することを特徴とするネズミ、虫類の侵入防止方法。
【請求項５】
排水口を上方に向けた排水管に、水を溜める請求項４記載のネズミ、虫類の侵入防止方法。
【発明の詳細な説明】
【０００１】
【発明の属する技術分野】
本発明は、排水管の排水口から侵入するネズミ、虫類の侵入防止具及び侵入防止方法に関する。
【０００２】
【従来の技術】
従来より、食品工場、料理店、食品厨房等の食品業界関連の排水管の排水口より、餌となる食品片を求めてネズミやゴキブリ等が侵入し、施設内を走り回り、病原菌やバイ菌を撒き散らすため、衛生面で大きな問題となっている。この種のネズミやゴキブリ等の排除対策としてネズミ取り器、ゴキブリ取り器、駆除薬等を使用しているが、いずれも有効な解決手段となり得ていないのが現状である。
【０００３】
そこで、ネズミ、ゴキブリ等の侵入自体を防止するために、排水管の一端に、半円形のトラップを取り付け、該トラップ内部に仕切り板を取り付ける技術が知られている（例えば、特許文献１参照。）。
また、排水管の先端開口部に開閉蓋を配設しているものもある（例えば、特許文献２参照。）。
【０００４】
【特許文献１】
実開昭５９−３５４７２号公報
【特許文献２】
特開平８−６８１０４号公報
【０００５】
【発明が解決しようとする課題】
しかしながら、特許文献１では、ネズミや虫類の大きさによっては、仕切り板の間を通り、排水管に侵入する場合があり、侵入を防止するのに充分ではなかった。また、大きなゴミ等を排出する場合には、仕切り板にひっかかり詰まりの原因となることもある。
また、特許文献２では、雑虫類の侵入を防止できると記載されているが、水圧によっては排水時に排水が流れるのは排水管内の下方であるため、排水管内の上方に隙間が生じ、例えば超小型の飛翔虫の侵入を完全に防止することは困難である。また、既設の排水管に金属板からなる開閉蓋を嵌合接続するのは困難で、接合時に排水管に傷やヒビを形成してしまい、漏水の原因となるという欠点があった。
【０００６】
本発明はこのような事情に鑑みなされたものであって、その目的とするところは、ネズミや虫類の侵入を確実に防止するとともに、排水及びゴミ等を詰まらせることなく排出させ、既設の排水管にも簡単に取り付けることができるネズミ、虫類の侵入防止具及びその方法を提供するにある。
【０００７】
【課題を解決するための手段】
本発明は、排水管の排水口に設置してネズミ、虫類の侵入を防止する侵入防止具であって、排水口の最長径以上の径を有する排水口閉鎖部と、該排水口閉鎖部を排水管内から支持する支持部とを備えることを特徴とするネズミ、虫類の侵入防止具により上記目的を達成する。
【０００８】
好ましくは、非排水時には上記排水口閉鎖部で排水口を閉口し、排水時には排水の流れによって排水口を開口しうるものである。更に好ましくは、上記ネズミ、虫類の侵入防止具は、排水口の最短径Ｒ、排水口閉鎖部の最短径Ｌ、排水口と支持部の接点から排水口閉鎖部の外径までの最短距離をＸとしたとき、Ｒ≦Ｌ−Ｘとなるように、排水口閉鎖部と支持部とが備えられている
【０００９】
また、本発明のネズミ、虫類の侵入防止方法は、排水管の排水口を上方に向け、該排水口に、上記ネズミ、虫類の侵入防止具を設置することを特徴とするものである。
【００１０】
また、上記排水口を上方に向けた排水管に、水を溜めることがより好ましい。
【００１１】
すなわち、本発明者らは、排水管の排水口に簡単に取りつけられ、排水口からのネズミや虫類の侵入を確実に防止する方法について検討を行った。そして、排水口の最長径以上の径を有する排水口閉鎖部と、該排水口閉鎖部を排水管内から支持する支持部とを備えるネズミ、虫類侵入防止具とすることにより、非排水時には排水口閉鎖部により完全に排水口が閉口され、排水時には、排水の流れによって排水口が開口され、ネズミや超小型の飛翔虫等の侵入を確実に防止して、排水やごみ等は排水口から詰まりを起こすことなく排出させることを見出した。
また、このとき、排水管内から排水口閉鎖部を支持する支持部により、侵入防止具自体が排水やごみと共に流れず、排水の流れが止まると排水口閉鎖部が排水管の排水口上に戻ることを見出し、本発明に到達した。
【００１２】
【発明の実施の形態】
まず、本発明が侵入を防止する虫類とは、ゴキブリ、ミミズ、蚊、飛翔虫等の衛生面で問題となっている虫類全般を指す。
【００１３】
本発明のネズミ、虫類の侵入防止具は、排水口閉鎖部と支持部とを備える。上記排水口閉鎖部とは、排水口の最長径以上の径を有する大きさであり、排水口に設置した際に排水口上にあらわれる部分を指し、支持部とは、排水管内に挿入される部分であって、排水管内から上記排水口閉鎖部を支持するものである。
【００１４】
以下、本発明の実施の形態について、図面に基づき詳述する。図１及び２は、本発明のネズミ、虫類の侵入防止具の実施の形態の一例を示す図であり、図１は正面斜視図、図２が排水口に設置時の平面図である。この図において、１は、ネズミ、虫類の侵入防止具である。そして、このネズミ、虫類の侵入防止具１は、排水口閉鎖部である円板２と、この円板２の底面側に設けられた支持部である３本の釘３とを備えている。
【００１５】
上記ネズミ、虫類の侵入防止具１は、図１及び図２に示すように、円板２の天面１１側から支持部材である３本の金属製の釘３を等間隔に打ち込み、底面１２側に突出させることにより形成されている。
【００１６】
上記円板２は、ポリカーボネイト製である。また、その平面形状は、図２に示すように、排水口２１（図２からは不可視状態であるため点線で示す）の最長径の約１．３倍の径を有する真円形状である。そして、図２に示すように、排水口２１に対する上記円板２と釘３の関係が、排水口２１の最短径Ｒ、円板２の最短径Ｌ、排水口２１と釘３の接点から円板２の外径までの最短距離をＸとしたとき、Ｒ＜Ｌ−Ｘとなるように設計されている。
【００１７】
図３は、本発明のネズミ、虫類の侵入防止具の他の実施形態を示しており、（１）は正面斜視図、（２）は排水口に設置時の平面図である。この実施形態において、４は、ネズミ、虫類の侵入防止具である。そして、このネズミ、虫類の侵入防止具４において、５が排水口閉鎖部である角板で、６が支持部である支持棒である。
上記ネズミ、虫類の侵入防止具４は、上記角板５の底面側ほぼ中央に１本の支持棒６を耐水性接着剤によって接着させることにより形成している。
上記角板５及び支持棒６は、第一の実施態様の円板と同様にポリカーボネイト製である。また、角板５の平面形状は、図３の（２）に示すように、排水口２１（図３の（２）からは不可視状態であるため点線で示す）の直径の約１．５倍の径からなる四角形である。
また、図３の（２）に示すように、本実施形態においても、排水口２１に対する上記角板５と支持棒６の関係が、排水口２１の最短径Ｒ、角板５の最短径Ｌ、排水口２１と支持棒６の接点から角板５の外径までの最短距離をＸとしたとき、Ｒ＜Ｌ−Ｘとなるように設計されている。なお、本実施形態において、角板５の最短径とは、平面形状における短手方向のさしわたし距離を指す。
【００１８】
図４も、本発明のネズミ、虫類の侵入防止具の他の実施形態である。図４において、７は、ネズミ、虫類の侵入防止具である。そして、このネズミ、虫類の侵入防止具７において、８が排水口閉鎖部で、９が支持部である。本実施形態は、ネズミ、虫類の侵入防止具７の一部を排水口に緩嵌させて排水口を閉口させる。このとき、緩嵌の程度は、排水時に排水の流れによって排水口が開口されることが重要である。
上記排水口閉鎖部８及び支持部９は、連続的に形成されており、その材質は塩化ビニル製である。
また、本実施形態における排水口（図示せず）に対する上記排水口閉鎖部５と支持部６の関係は、排水口の外径が完全にネズミ、虫類の侵入防止具７の一部で緩嵌されるため、Ｒ＝Ｌ−Ｘとなる。
【００１９】
本発明のネズミ、虫類の侵入防止具は、上記３つの実施形態以外にも、様々な形状において実施することができるが、少なくとも排水口閉鎖部が排水口の最長径以上の径を有する大きさでなければならない。なお、排水口閉鎖部の形状は、真円や楕円等の円形に限定するものではなく、例えば、図３のような四角形等の多角形であってもよい。また、支持部の本数は単数でも複数でもよく、特に限定するものではない。なお、支持部が３本以上の場合、各支持部の間隔は等間隔に限定されるものではない。
そして、排水口閉鎖部及び支持部の材質も、上記の例に限定するものではなく、ステンレス等の耐腐食性に富んだもの等が挙げられる。また、最外層に疎水性被膜処理を行ってもよい。また、排水管に傷やヒビを形成させないように、ゴム質等の排水管保護被膜処理を行ってもよい。
【００２０】
更には、本発明では、排水口閉鎖部と支持部の材質を統一することに限定するものではない。なお、排水口閉鎖部と支持部とが、材質の異同に拘らず別々の部材で構成される場合、両者の接続は、上記の例に限定するものではなく、適宜選択すればよい。
【００２１】
上記構成によれば、非排水時には、排水口閉鎖部により完全に排水口が閉口され、排水時には、排水の流れによって排水口を開口され、ネズミ、虫類の侵入を確実に防止して、排水やごみ等は排水口から詰まりを起こすことなく排出できる。また、排水口閉鎖部を排水管内から支持する支持部によって、排水の流れによってネズミ、虫類の侵入防止具が排水やゴミ等と共に流れず、また、排水口閉鎖部の位置ずれを防止することができる。
【００２２】
更には、排水口２１に対する上記排水口閉鎖部２と支持部３の関係を、排水口の最短径Ｒ、排水口閉鎖部の最短径Ｌ、排水口と支持部の接点から排水口閉鎖部の外径までの最短距離をＸとしたとき、Ｒ≦Ｌ−Ｘとなるように設定すると、ネズミ、虫類侵入防止具の排水口閉鎖部が排水口上で多少動いた場合でも、排水口が完全に閉口した状態を維持でき好適である。
【００２３】
次に、上記構成を有するネズミ、虫類の侵入防止具を用いて、ネズミ、虫類の侵入を防止する方法を図５及び図６に基づき説明する。なお、図５及び図６は、理解を容易にするために、排水管を透明として表現している。また、ネズミ、虫類の侵入防止具として上記第一の実施形態のものを例として用いるが、これに限定するものではない。また、ネズミ、虫類の侵入を防止する方法は、以下の説明に限定されるものではない。図５及び図６において、２０は排水管、２１は排出口、２２は排水である。
まず、図５に示すように、排水管２０の排水口２１を水平方向に対し上方に向ける。ここで言う「上方に向ける」とは、排水時に排水管２１内に隙間ができない程度の角度をつけることを意味する。具体的には、好ましくは水平方向に対して４５〜１３５度、更に好ましくは８０〜１００度とすることが好適である。なお、既製の排水管の排水口が横向きや下向きである場合には、継手、Ｌ字管等を利用して上方を向かせればよい。このようにすることにより、排水時に排水管内に隙間ができず、超小型の飛翔虫の侵入も確実に防止することができるのである。更には、非排水時においても、排水口２１付近まで汚水２２を溜めた状態にしておくことがネズミや虫類の侵入防止を強化できる点で好適である。
【００２４】
次に、上方に向けた排水口２１に、ネズミ、虫類の侵入防止具１の支持部である釘３を挿入する。このように上記侵入防止具１を設置することにより、非排水時には、図５に示すように、排水口２１が閉口されているので排水口２１からのネズミ、虫類の侵入を防止できる。そして、図６に示すように、排水時には、排水２２の流れによって排水口を開口するので、汚水２２が塞き止められることなく排出する。また、ゴミが排水２２と共に流れてきた場合でも、上記侵入防止具１が水流で押し上げられた時に、詰まることなく排出されるのである。
【００２５】
なお、本発明においては、図７（１）及び（２）に示すように、上記侵入防止具１が水流によって排水口から流されることを好適に防止するために、排水時に水流によって排水口を開口しうる状態を維持できる範囲で、侵入防止具１と排水管２０とをゴム２５等の止め具で繋いでもよい。
【００２６】
【発明の効果】
以上のように、本発明のネズミ、虫類の侵入防止具及び侵入防止方法によれば、非排水時には排水口を完全に閉口することにより、ネズミ、虫類の侵入を確実に防止し、排水時にはその水流により、排水やゴミ等を詰まらせることなく排出させることができるのである。
また、本発明によれば、取り外し工事や複雑な作業等が必要なく、誰にでも簡単に取り外しすることができる。
【図面の簡単な説明】
【図１】本発明のネズミ、虫類の侵入防止具の一実施の形態を示す正面斜視図である。
【図２】同実施形態のネズミ、虫類の侵入防止具を排水口に設置した際の平面図である。
【図３】（１）本発明のネズミ、虫類の侵入防止具の他の実施形態を示す正面斜視図である。
（２）本発明のネズミ、虫類の侵入防止具の他の実施形態を排水口に設置した際の平面図である。
【図４】本発明のネズミ、虫類の侵入防止具の他の実施形態を示す正面斜視図である。
【図５】本発明のネズミ、虫類の侵入防止方法における非排水時の一例を示す説明図である。
【図６】本発明のネズミ、虫類の侵入防止方法における排水時の一例を示す説明図である。
【図７】（１）本発明のネズミ、虫類の侵入防止方法において、ネズミ、虫類の侵入防止具と排水管とをゴムで繋いでいる様子を示す正面図である。
（２）本発明のネズミ、虫類の侵入防止方法において、ネズミ、虫類の侵入防止具と排水管とをゴムで繋いでいる様子を示す側面図である。
【符号の説明】
１     ネズミ、虫類の侵入防止具
２     円板
３     釘
【図１】
2004208522.tif 000003
【図２】
2004208522.tif 000004
【図３】
2004208522.tif 000005
【図４】
2004208522.tif 000006
【図５】
2004208522.tif 000007
【図６】
2004208522.tif 000008
【図７】
2004208522.tif 000009